(57)【要約】【課題】水周り器具のレイアウトを自由に変更できる床構造を提供する。【解決手段】サイフォン排水管２３によりサイフォン力を発生させて排水を誘導するため、横引き管２０に勾配を設ける必要がなく、また、従来の勾配を利用した排水管に比べ、横引き管２０の径を小さくでき、横引き管２０を自由に引きまわすことができる。このように横引き管２０を自由に引きまわすことができることにより、また、床仕上げ面を含めた床パネル２４を単位毎に着脱可能に配置されることにより、横引き管２０と水回り器具１６とを接続する接続器具２８が設けられた床パネル２４の配置を自由に変更できる。このため、接続器具２８が設けられた床パネル２４を取り外して、他の床パネル２４と配置を変えることにより、水周り器具１６からの排水を排出される排水口の位置を変更することができ、水周り器具１６のレイアウトを自由に変更できる。【選択図】図２
2008156848.tif 000002
【特許請求の範囲】
【請求項１】
床スラブと、
前記床スラブ上に着脱可能に配置された複数の床パネルと、
前記床パネルに設けられ、前記床パネル上に配置された水回り器具と前記床パネル下に配置されサイフォン力を発生させて前記水回り器具からの排水を誘導するサイフォン排水管とを接続する接続器具と、
を備えたことを特徴とする床構造。
【請求項２】
前記接続器具は、前記サイフォン排水管から前記水周り器具への臭いの逆流を防止する逆流防止手段を備えたことを特徴とする請求項１に記載の床構造。
【請求項３】
前記逆流防止手段は、封水によって、前記臭いの逆流を防止する排水トラップであることを特徴とする請求項２に記載の床構造。
【請求項４】
前記接続器具は、前記水周り器具から前記サイフォン排水管への通水を許容すると共に、非通水時においては、前記水周り器具と前記サイフォン排水管との間を閉鎖する閉鎖機構を備えたことを特徴とする請求項１に記載の床構造。
【請求項５】
前記閉鎖機構は、逆止弁であることを特徴とする請求項４に記載の床構造。
【発明の詳細な説明】
【技術分野】
【０００１】
本発明は、床構造に関する。
【背景技術】
【０００２】
床構造としては、床スラブと床材からなる二重床構造が知られている。このような二重床構造においては、床材上に設けられた水周り器具から排出される排水は、床スラブと床材との間に配置された排水管により排出される（特許文献１参照）。
【０００３】
【特許文献１】特開平９−２２８４３３号公報
【発明の開示】
【発明が解決しようとする課題】
【０００４】
しかしながら、従来の排水システムでは、勾配を利用して排水するため、床スラブと床材との間に配置された排水管の経路を変更する場合は、排水管の勾配確保のために、床スラブをはつったり、床材を広範囲に撤去したりする必要があり、水周り器具のレイアウトを自由に変更できなかった。
本発明は、上記事実を考慮し、水周り器具のレイアウトを自由に変更できる床構造を提供することを目的とする。
【課題を解決するための手段】
【０００５】
本発明の請求項１に係る床構造は、床スラブと、前記床スラブ上に着脱可能に配置された複数の床パネルと、前記床パネルに設けられ、前記床パネル上に配置された水回り器具と前記床パネル下に配置されサイフォン力を発生させて前記水回り器具からの排水を誘導するサイフォン排水管とを接続する接続器具と、を備えたことを特徴とする。
【０００６】
この構成によれば、サイフォン排水管によりサイフォン力を発生させて排水を誘導するため、サイフォン排水管に勾配を設ける必要がなく、また、従来の勾配を利用した排水管に比べ、排水管の径を小さくでき、サイフォン排水管を自由に引きまわすことができる。
このようにサイフォン排水管を自由に引きまわすことができることにより、また、床パネルが床スラブ上に着脱可能に配置されることにより、サイフォン排水管と水回り器具とを接続する接続器具が設けられた床パネルの配置を自由に変更できる。
このため、接続器具が設けられた床パネルを取り外して、他の床パネルと配置を変えることにより、水周り器具のレイアウトを自由に変更できる。
本発明の請求項２に係る床構造は、前記接続器具が、前記サイフォン排水管から前記水周り器具への臭いの逆流を防止する逆流防止手段を備えたことを特徴とする。
この構成によれば、逆流防止手段が、サイフォン排水管から水周り器具への臭いの逆流を防止するので、水周り器具がある部屋に悪臭が浸入することを防止できる。
請求項２に係る逆流防止手段としては、請求項３に記載のように、封水によって、前記臭いの逆流を防止する排水トラップを用いてもよい。
本発明の請求項４に係る床構造は、前記接続器具が、前記水周り器具から前記サイフォン排水管への通水を許容すると共に、非通水時においては、前記水周り器具と前記サイフォン排水管との間を閉鎖する閉鎖機構を備えたことを特徴とする。
この構成によれば、閉鎖機構が、水周り器具からサイフォン排水管への通水を許容すると共に、非通水時においては、水周り器具とサイフォン排水管との間を閉鎖するので、サイフォン排水管から水周り器具への臭いの逆流を防止できる。
請求項４に係る閉鎖機構としては、請求項５に記載のように、逆止弁を用いても良い。
【発明の効果】
【０００７】
本発明は、上記構成としたので、水周り器具のレイアウトを自由に変更できる。
【発明を実施するための最良の形態】
【０００８】
以下に、本発明に係る実施形態の一例を図面に基づき説明する。
【０００９】
（本実施形態に係る床構造の構成）
まず、本実施形態に係る床構造の構成を説明する。図１及び図２には、本実施形態に係る床構造の構成が概略図にて示されている。
【００１０】
本実施形態に係る床構造１０は、図１に示すように、コンクリート等で形成された床スラブ１４を備えている。
床スラブ１４上には、着脱可能に配置された複数の床パネル２４が設けられている。床パネル２４は、図２に示すように、矩形状の板状に形成されると共に、千鳥状に配置されている。なお、床パネル２４の配置は、千鳥状でなくても良い。
【００１１】
各床パネル２４の角部には、床パネル２４を支持する支持部材２６が配置されている。この支持部材２６は、下部が床スラブ１４に固定され、上部には、床パネル２４の下面を支持すると共に床パネル２４がネジ２９によりネジ止めされる支持板２６Ａを備えている。
床パネル２４を支持板２６Ａに固定するネジ２９を外すことにより、床パネル２４を取り外せ、床パネル２４は、１枚ごとに着脱可能とされている。
【００１２】
また、床パネル２４の上面には、各床パネル２４毎に、フローリングやタイルやカーペット等の床仕上げ面が形成されている。
床パネル２４上には、水回り器具１６（本実施形態においては洗面台）が配置されている。なお、水回り器具としては、洗面台に限られず、例えば、洗濯機、トイレ及び台所流し等であってもよく、排水を生じる器具あればよい。
【００１３】
水周り器具１６は、水周り器具１６を使用することで生じた排水を流す器具排水管１８を備えている。器具排水管１８は上下方向（縦方向）に延設され、水周り器具１６から排出される排水を下方へ流すように構成されている。なお、図２に示す例では、器具排水管１８は、直線状に形成されているが、器具排水管１８の中間部をＳ字状に形成して、封水を貯留する排水トラップを形成したものであっても良い。
【００１４】
床パネル２４には、床パネル２４下に配置されたサイフォン排水管２３と、器具排水管１８とを接続する接続器具２８が設けられている。
接続器具２８は、床パネル２４の下面から下方に延びると共に横方向へ湾曲する接続管２８Ａと、接続管２４Ａを床パネル２４の下面に固定する固定部２８Ｂとを備えている。
床パネル２４には、接続管２４Ａが固定された位置に、接続管２４Ａの径より大径とされた開口部３０が形成されている。
【００１５】
器具排水管１８は、開口部３０を通じて、接続管２４Ａの上部側にある開口に差し込まれて、接続管２４Ａと器具排水管１８が接続される。器具排水管１８が接続される開口が、器具排水管１８からの排水が排出される排水口となっている。
また、接続管２４Ａの下部側の開口にサイフォン排水管２３が差し込まれ、接続管２４Ａとサイフォン排水管２３が接続される。サイフォン排水管２３は、床スラブ１４上で横方向に延びる横引き管２０と、この横引き管２０と連通する竪管２２とを備えて構成されており、横引き管２０が接続管２４Ａに接続される構成となっている。
【００１６】
（サイフォン排水システム１００の構成）
ここで、サイフォン排水管２３を利用したサイフォン排水システム１００について説明する。図３には、本実施形態に係るサイフォン排水システム１００の全体構成が概略図にて示されている。
サイフォン排水システム１００は、サイフォン力を利用して水回り器具からの排水を効率よく排出する排水システムである。
【００１７】
本実施形態において、サイフォン排水システム１００は、複数階で構成された集合住宅に用いられ、図３に示すように、排水を下方へ流す排水立て管１２を備えている。この排水立て管１２は、集合住宅の上下方向（縦方向）に延設され、集合住宅の各階の床スラブ１４を貫いている。
横引き管２０は、接続管２４Ａに接続されることにより、器具排水管１８と連通すると共に、床スラブ１４上無勾配で配置され、器具排水管１８から横引き管２０へ流入した排水を横方向へ流す構成となっている。
【００１８】
この横引き管２０と連通する竪管２２は、排水立て管１２に沿って、上下方向（縦方向）にそれぞれ延設されている。この竪管２２は、横引き管２０から竪管２２へ流入した排水を下方へ落下させることによりサイフォン力を発生させる。
この竪管２２と排水立て管１２とを連結する排水継手５０が設けられている。この排水継手５０は、竪管２２からの排水を排水立て管１２へ合流させる。
【００１９】
器具排水管１８、横引き管２０及び竪管２２は、一の経路で構成され、他の水周り器具１６からの排水と途中で合流することなく、そのまま排水立て管１２へ排水を導くようになっている。また、器具排水管１８、横引き管２０及び竪管２２は、水周り器具１６からの排水が満水の状態で流れるように、管の内径が設定され、例えば、２０Ａにされている。
このサイフォン排水システム１００によれば、水周り器具１６から排出された排水は、器具排水管１８内を下方へ流れ、器具排水管１８における排水口水頭Ｈｐのポテンシャルエネルギ−により、さらに、無勾配の横引き管２０内を横方向へ流れる。
【００２０】
次いで、排水は、竪管２２を落下し、竪管２２におけるサイフォン水頭Ｈｓのポテンシャルエネルギ−により、サイフォン力が発生する。このサイフォン力により、器具排水管１８、横引き管２０及び竪管２２内の排水が誘導され、その排水が促進される。
このため、竪管２２側へ下る下り勾配が横引き管２０になくとも、逆に若干の逆勾配があったとしても、サイフォン力により、排水を導くことができる。なお、横引き管２０には、竪管２２側へ下る下り勾配があってもよい。
【００２１】
（本実施形態に係る床構造１０の作用）
次に、実施形態係る床構造１０の作用を説明する。
本実施形態に係る床構造１０によれば、サイフォン排水管２３によりサイフォン力を発生させて排水を誘導するため、横引き管２０に勾配を設ける必要がなく、また、従来の勾配を利用した排水管に比べ、横引き管２０の径を小さくでき、横引き管２０を自由に引きまわすことができる。
このように横引き管２０を自由に引きまわすことができることにより、また、床仕上げ面を含めた床パネル２４を単位毎に着脱可能に配置されることにより、横引き管２０と水回り器具１６とを接続する接続器具２８が設けられた床パネル２４の配置を自由に変更できる。
【００２２】
このため、接続器具２８が設けられた床パネル２４を取り外して、他の床パネル２４と配置を変えることにより、水周り器具１６からの排水を排出される排水口の位置を変更することができ、水周り器具１６のレイアウトを自由に変更できる。
また、接続器具２８が設けられた床パネル２４を増設することにより、水周り器具１６を増やすことができる。
さらに、床下にサイフォン排水管２３を配管する際に、該当する部分の床パネル２４のみを取り外して、サイフォン排水管２３を配管すればよく、配管が容易となる。
【００２３】
（接続器具２８の第１変形例）
次に、接続器具２８を変形した第１変形例の構成について説明する。図４には、第１変形例に係る接続器具の構成が示されている。
第１変形例に係る接続器具３８は、図４に示すように、床パネル２４の下面側に配置された接続器具本体３８Ａと、接続器具本体３８Ａを床パネル２４の下面に固定する固定部３８Ｂとを備えている。
【００２４】
器具排水管１８は、開口部３０を通じて、接続器具本体３８Ａの上部側にある開口に差し込まれて、接続器具本体３８Ａと器具排水管１８が接続される。サイフォン排水管２３は、接続器具本体３８Ａの側部側の開口に差し込まれ、接続器具本体３８Ａとサイフォン排水管２３が接続される。
接続器具本体３８Ａは、サイフォン排水管２３から水周り器具１６への臭いの逆流を防止する逆流防止手段の一例として、封水によって臭いの逆流を防止する排水トラップ４０を備えている。
【００２５】
排水トラップ４０には、排水を貯留する排水貯留部４２が形成されている。排水貯留部４２内には、排水の流入側に形成される第１貯留室４２Ａと排水の流出側に形成される第２貯留室４２Ｂとの２室に排水貯留部４２を仕切る仕切り板４４が形成されている。
仕切り板４４は、排水貯留部４２の底面から離間しており、第１貯留室４２Ａ及び第２貯留室４２Ｂは、その下部で互いが連通している。器具排水管１８から排出された排水は、第１貯留室４２Ａの上部から流入し、第１貯留室４２Ａの下部から第２貯留室４２Ｂへ移動し、第２貯留室４２Ｂの上部から流出して、サイフォン排水管２３に流れ込む構成となっている。
【００２６】
排水貯留部４２に貯留される排水は、器具排水管１８から新たな排水が排出される間は、第１貯留室４２Ａ及び第２貯留室４２Ｂに貯留され、新たな排水が排出されることで、押されてサイフォン排水管２３は流出する。そして、この新たに排出された排水が第１貯留室４２Ａ及び第２貯留室４２Ｂに貯留され、この第１貯留室４２Ａ及び第２貯留室４２Ｂには、常に排水が貯留される。
この第１貯留室４２Ａ及び第２貯留室４２Ｂに貯留された排水が、封水として機能し、この封水により臭いやガスの逆流や、害虫の侵入等が防止される。
【００２７】
このように、第１変形例に係る接続器具３８によれば、サイフォン排水管２３から水周り器具１６への臭いの逆流を防止するので、水周り器具１６がある部屋に悪臭が浸入することを防止できる。
なお、第１変形例では、封水によって臭いの逆流を防止する排水トラップを用いたが、封水によらない構成であってもよく、サイフォン排水管２３から水周り器具１６への臭いの逆流を防止できる機構であればよい。
【００２８】
（接続器具２８の第２変形例）
次に、接続器具２８を変形した第２変形例の構成について説明する。図５及び図６には、第２変形例に係る接続器具の構成が示されている。
第２変形例に係る接続器具４８は、図５及び図６に示すように、床パネル２４の下面から下方に延びると共に横方向へ湾曲する接続器具本体４８Ａと、接続器具本体４８Ａを床パネル２４の下面に固定する固定部４８Ｂとを備えている。
【００２９】
接続器具本体４８Ａの側部側の開口にサイフォン排水管２３が差し込まれ、接続器具本体４８Ａとサイフォン排水管２３が接続される。
接続器具本体４８Ａの内部には、下方へ延出された接続管５２が設けられている。器具排水管１８は、開口部３０を通じて、接続管５２の上部側にある開口に差し込まれて、接続管５２と器具排水管１８が接続される。接続管５２は固定部４８Ｂに上端部が固定され、下端部は、斜めに切り欠けられている。
【００３０】
接続管５２の下端部には、水周り器具１６からサイフォン排水管２３への通水を許容すると共に、非通水時においては、水周り器具１６とサイフォン排水管２３との間を閉鎖する閉鎖機構の一例としての逆止弁５４が設けられている。
逆止弁５４は、接続管５２に回動可能に支持され接続管５２の下端を閉鎖する蓋体５４Ａと、蓋体５４Ａを接続管５２へ付勢する錘部５４Ｂとを備えている。
【００３１】
蓋部５４Ａは、接続管５２の下端部を閉鎖する閉鎖位置（図５に示す位置）と、接続管５２の下端部を開放する開放位置（図６に示す位置）との間を回動可能とされている。また、蓋部５４Ａは、錘部５４Ｂの重さにより閉鎖位置に付勢され、排水が接続管５２を通らない非通水時においては、接続管５２の下端部を閉鎖するようになっている。
また、水周り器具１６から排水が排出されると、その排水が落下することにより、錘部５４Ｂの付勢力に対抗して、蓋部５４Ａを下方へ押し下げ蓋部５４Ａが開放位置へ回動する。これにより、排水がサイフォン排水管２３へ流れるようになっている。
【００３２】
このように、第２変形に係る接続器具４８によれば、非通水時においては、水周り器具１６とサイフォン排水管２３との間が閉鎖されるので、サイフォン排水管２３から水周り器具１６への臭いやガスの逆流や、害虫の侵入等が防止できる。
なお、逆止弁の構成としては、第２変形例の構成に限られるのではなく、種々の構成が可能である。また、本発明は、上記の実施形態に限るものではなく、種々の変形、変更、改良が可能である。
【図面の簡単な説明】
【００３３】
【図１】図１は、本発明の実施形態に係る床構造の構成を示す断面図である。
【図２】図２は、本実施形態に係る床構造の構成を示す斜視図である。
【図３】図３は、本実施形態に係るサイフォン排水システムの構成を示す概略図である。
【図４】図４は、第１変形例に係る接続器具の構成を示す概略図である。
【図５】図５は、第２変形例に係る接続器具において、蓋部が閉鎖位置にある状態を示す概略図である。
【図６】図６は、第２変形例に係る接続器具において、蓋部が開放位置にある状態を示す概略図である。
【符号の説明】
【００３４】
１０   床構造
１４   床スラブ
１６   水周り器具
２３   サイフォン排水管
２４   床パネル
２８   接続器具
【図１】
2008156848.tif 000003
【図２】
2008156848.tif 000004
【図３】
2008156848.tif 000005
【図４】
2008156848.tif 000006
【図５】
2008156848.tif 000007
【図６】
2008156848.tif 000008